(57)【特許請求の範囲】
【請求項１】
化粧料を充填、保持する中皿と、化粧料を塗布する塗布具を収納する内カップと、を配置するための区画凹部をそれぞれ隣接させて設けた容器本体と、該容器本体に支持されるとともに開閉する蓋体と、を備えたコンパクト容器であって、
前記中皿と前記容器本体との間に衝撃緩衝部材を配設してなり、
前記容器本体には、前記中皿を塞ぐ内蓋体がヒンジ部を介して開閉自在に支持され、
前記内カップの前記中皿側の内面上縁部に設けられた凹部と、前記内蓋体に設けられた係止爪部と、が係止されることを特徴とするコンパクト容器。
【請求項２】
前記容器本体は、外枠と、該外枠内に配設されるとともに前記中皿を収納するための区画凹部の開口を形成する内枠とからなり、
前記内蓋体は、前記内枠に開閉自在に支持されていることを特徴とする請求項１に記載のコンパクト容器。
【発明の詳細な説明】
【技術分野】
【０００１】
本発明は、例えば化粧料を収容して携帯するために利用されるコンパクト容器に関するものである。
【背景技術】
【０００２】
この種のコンパクト容器として、アイシャドーやアイライナー、ファンデーション等の化粧料を塗布具（パフ等）とともに収容する容器本体と、この容器本体に対してヒンジ軸を介して揺動可能に連結された蓋体とを備え、蓋体に係合片が設けられ、この係合片を容器本体に形成された係止部に係合させることで閉状態が保持される構成のものが知られている。このような容器本体は、中皿収容用の内部空間を有しており、例えば化粧料などの内容物を使い切ったのちに新品の内容物を中皿ごと入れ替えすることができるようになっている。
【０００３】
通常、このようなコンパクト容器に適用される中皿は、容器本体に直接或いは枠体を介して係合手段にて連係保持されているが、落下等により容器そのものに衝撃が加えられた場合にあっては、その衝撃が中皿へ伝達され、中皿が容器本体から外れたり、ドライタイプの化粧料等の内容物にひびが入って割れてしまうおそれがあった。
【０００４】
そこで、例えば下記特許文献１に記載されているような、中皿と容器本体との間に空胴を形成する中空凸部や中空凸条が形成されたクッション部を備え、中皿の周囲及び底部を囲繞する衝撃緩衝層を形成して中皿を保持することで、中皿に対する衝撃力の影響を軽減し得るコンパクト容器がある。
【先行技術文献】
【特許文献】
【０００５】
【特許文献１】特開２０１０−１６６９７６号公報
【発明の概要】
【発明が解決しようとする課題】
【０００６】
しかしながら、上記した従来のコンパクト容器では、中皿内の化粧料の割れを防ぐことは可能となるが、蓋体と容器本体との間に内部空間があるため、落下した場合の衝撃によって本体容器内で化粧料が飛び散るおそれがあった。
【０００７】
本発明は、このような事情に鑑みてなされたものであって、落下した場合などの強い衝撃による本体容器内での化粧料の飛散を防止することができるコンパクト容器を提供することを目的とする。
【課題を解決するための手段】
【０００８】
上記の目的を達成するために、この発明は以下の手段を提供している。
本発明に係るコンパクト容器は、化粧料を充填、保持する中皿と、化粧料を塗布する塗布具を収納する内カップと、を配置するための区画凹部をそれぞれ隣接させて設けた容器本体と、該容器本体に支持されるとともに開閉する蓋体と、を備えたコンパクト容器であって、前記中皿と前記容器本体との間に衝撃緩衝部材を配設してなり、前記容器本体には、前記中皿を塞ぐ内蓋体がヒンジ部を介して開閉自在に支持され、前記内カップの前記中皿側の内面上縁部に設けられた凹部と、前記内蓋体に設けられた係止爪部と、が係止されることを特徴としている。
【０００９】
本発明に係るコンパクト容器によれば、内蓋体をヒンジ部回りに回動させ中皿の開口を塞ぐように配置して閉じるとともに、内蓋体の閉状態において蓋体を容器本体に積み重ねるようにして閉じることでコンパクト容器の閉状態が保持される。
そして、本コンパクト容器では、中皿と容器本体との間に衝撃緩衝部材を配設したので、落下やぶつけること等によりコンパクト容器に衝撃が加えられても、その衝撃緩衝部材により衝撃力が分散され、中皿の脱落や化粧料の割れにつながる衝撃力の伝達を抑制することができる。
【００１０】
また、内蓋体および蓋体が閉状態である場合において、コンパクト容器に上述したような強い衝撃が加わっても、中皿が内蓋体によって塞がれているので、その衝撃によって中皿に充填されている化粧料が中皿から飛び出し、容器本体内で飛散するのを防止することができる。
【００１１】
しかも、内蓋体は、蓋体の内側に設けられるため、蓋体が閉状態のときには上述した衝撃によって容易に開くことがないという利点がある。
さらに、内蓋体が容器本体側に支持されていて中皿とは別体となるので、中皿自体に蓋を設ける必要がなく、コンパクト容器の構造を複雑にすることがなく簡素化を図ることができる。
【００１２】
また、上記本発明のコンパクト容器において、前記容器本体は、外枠と、該外枠内に配設されるとともに前記中皿を収納するための区画凹部の開口を形成する内枠とからなり、前記内蓋体は、前記内枠に開閉自在に支持されていることが好ましい。
【００１３】
この場合には、内蓋体のヒンジ部を内枠に支持させることで、そのヒンジ部を蓋体の内面側に配置することが容易となり、コンパクト容器の構造をより簡素化させることができる。
【発明の効果】
【００１４】
本発明に係るコンパクト容器によれば、蓋体の内側で中皿を塞ぐ内蓋体を設けることで、落下等によりコンパクト容器に強い衝撃が加わった場合でも、本体容器内での化粧料の飛散を防止することができる。
【図面の簡単な説明】
【００１５】
【図１】本発明に係るコンパクト容器の実施形態を示す部分縦断面図である。
【図２】コンパクト容器の側断面図であって、図１に示すＡ−Ａ線断面図である。
【図３】コンパクト容器の側断面図であって、図１に示すＢ−Ｂ線断面図である。
【図４】コンパクト容器の部分拡大断面図であって、図１に示すＣ−Ｃ線断面図である。
【図５】図２に示すコンパクト容器の要部拡大図である。
【発明を実施するための形態】
【００１６】
以下、本発明に係るコンパクト容器の実施形態について図面を参照して説明する。
図１に示すように、本実施形態のコンパクト容器１は、容器本体２と、この容器本体２に重なるようにして配置される蓋体３と、蓋体３の内側に配置されるとともに容器本体２に設けられた内蓋体４とを備えて概略構成されている。
なお、図１から図３では、蓋体３が閉じられた状態を示している。また、本実施形態では、コンパクト容器１において、図２及び図３に示すＹ方向に沿って蓋体３側を上側といい、その反対側を下側という。
【００１７】
図１乃至図３に示すように、蓋体３は、容器本体２の一端側（図１において左側の長辺側）に設けられた第１ヒンジ部３１を備え、この第１ヒンジ部３１によって開閉自在に支持されている。この蓋体３は、平面視で略長方形状をなしており、周壁３ａと、周壁３ａの上端で一体連結する蓋面（頂壁）３ｂとからなり、この蓋面３ｂの下面、すなわち閉状態において容器本体２と対向する内面に鏡Ｍが装着されている。
第１ヒンジ部３１は、軸方向両端の中心部に軸受孔３１ａ、３１ａが設けられた筒形状をなす部分である。これら軸受孔３１ａには容器本体２に対して蓋体３を回転可能に係合するヒンジ軸（ピン）２１が配設され、これにより蓋体３が第１ヒンジ部３１とともにヒンジ軸２１回りに回転自在に支持されている。
【００１８】
蓋体３の他端側（図１において右側）には、容器本体２に対して閉状態で保持するための係合部が設けられている。この係合部は、蓋体３の内側から垂下され前記一端側に向けて突設された係合突部を有する係合片（図示省略）が容器本体２に対して係合するとともに、容器本体２側に設けられるプッシュピース３２により離脱する構成となっている。
【００１９】
容器本体２は、平面視形状が矩形状（蓋体と略同形の長方形状）で有底筒状に形成された外枠５と、化粧料を充填、保持する凹部を有する中皿７を収納する区画凹部の開口を形成し、前記外枠５に嵌合される内枠６とからなる。
外枠５は、周壁５ａと、この周壁５ａの下端で一体連結する底壁５ｂとからなり、その内側には中皿７と、パフ等の化粧料を塗布する塗布具を収納する内カップ８とを配置する区画凹部５ｃ、５ｄが形成されている。そして、外枠５における４つの辺部のうち１つ（図１において左側）には、蓋体３を回転可能に連結する前記第１ヒンジ３１が配置される凹部が設けられている。
なお、図２及び図４に示すように、蓋体３が閉じた状態において、周壁５ａの上面に蓋体３の周壁３ａの下端が当接しており、このとき中皿７と蓋体３の蓋面３ｂとの間には所定の隙間が設けられている。
【００２０】
ここで、一方の第１区画凹部５ｃ（図２において紙面下側）に配置される中皿７は、周壁７ａと、この周壁７ａの下端に一体連結する底壁７ｂとからなり、周壁７ａの外周における複数個所にはアンダーカット係合用の凹部７ｃ（図４参照）が設けられている。
また、図２に示すように、内カップ８は、周壁８ａと底壁８ｂから形成されており、他方の第２区画凹部５ｄ（図２において紙面上側）に配置された状態で中皿７側の内面上縁部にアンダーカット係合用の凹部８ｃが設けられている。そして、周壁８ａの上端には外側に張り出す鍔部８ｄが設けられており、その鍔部８ｄを外枠５の周壁５ａ及び後述するケース１０の周壁１０ａの上面に係止されている。
【００２１】
内枠６は、容器本体２の外周縁部（周壁５ａの上面）に沿って配置される枠体９と、その枠体９と一体成形された前記内カップ８とからなる。
また、第１区画凹部５ｃにおいて、中皿７と容器本体２との間には衝撃緩衝部材としてケース１０が配置されている。
前記ケース１０は、周壁１０ａと底壁１０ｂがゴムやエストラマー等の軟質材から形成されており、中皿７の周囲および底部を密着状態で囲繞する衝撃緩衝層を形成するものであって、その周壁１０ａの内面には、中皿７の凹部７ｃに係合する凸部１０ｃが設けられている。前記ケース１０は、別部材として形成して容器本体２および／あるいは内枠６と係合する構成、容器本体２と内枠６とで挟持する構成、インサート形成あるいは接着剤等による接着により内枠６あるいは容器本体２と一体化する構成、など、その配置方法は限定されない。
また、このケース１０によって中皿７が保持されている。
【００２２】
また、図４に示すように、外枠５の底壁５ｂの４箇所（第１区画凹部５ｃの４角部の位置）に曲面凹部５ｅが設けられ、ケース１０の底壁１０ｂの四隅において一体的に球状脚部１１が設けられている（図１参照）。この球状脚部１１は、ケース１０と同材質により形成され、曲面凹部５ｅに適合して中皿７の第１区画凹部５ｃでの位置決めを行う機能を有するものであり、曲面凹部５ｅに適合することでケース１０の底壁１０ｂと外枠５の底壁５ｂとの相互間に微小隙間が形成されている。
さらに、外枠５の底壁５ｂには、図２に示すように、ケース１０の底壁１０ｂを押圧して中皿７の取り外しを行うための開口５ｆが設けられている。
【００２３】
図２に示すように、内蓋体４は、内面にパッキンＰが装着されており、一端が容器本体２における外枠５の短辺側に設けられた第２ヒンジ部４１を介して開閉自在に支持されている。すなわち、内蓋体４は、閉状態において、ケース１０（中皿７）の上端開口を塞ぐ蓋部材であり、閉状態の蓋体３の内側に配置されている。そして、図１に示すように、内蓋体４の一端に凹部が形成されており、この凹部の対向する内側面にヒンジ軸４２が設けられている。
第２ヒンジ部４１は、図５に示すように、軸方向両端の中心部に軸受孔４１ａが設けられた筒状をなし、軸方向を容器本体２の短辺に沿う方向に向けて枠体９と一体に形成されているこれら軸受孔４１ａにはヒンジ軸４２が回転可能に係合され、これにより内蓋体４がヒンジ軸４２回りに回転自在に支持されている。なお、図５では、蓋体３が省略されている。
【００２４】
また、図２に示すように、内蓋体４の他端（第２ヒンジ部４１と反対側）には、第２ヒンジ部４１側へ向けて突設された係止爪部４３が設けられており、この係止爪部４３が内カップ８の凹部８ｃに着脱可能に係止されている。
なお、本実施形態では、図５に示すように、内蓋体４の閉状態において内面のパッキンＰによって中皿７の周壁７ａが上から押さえられている。
【００２５】
次に、上述したように構成されたコンパクト容器１の作用について説明する。
図２及び図５に示すように、コンパクト容器１は、内蓋体４を第２ヒンジ部４１回りに回動させることで、内蓋体４が中皿７の開口を塞ぐように配置して閉じられ、係止爪部４３を内カップ８の凹部８ｃに係止させて閉状態が保持される。さらに、内蓋体４の閉状態において、蓋体３を第１ヒンジ部３１回りに回動させて容器本体２に積み重ねるように配置するとともに、蓋体３の係合部を容器本体２に係合させることで、コンパクト容器１の閉状態が保持される。
なお、コンパクト容器１を開けるときには、プッシュピース３２の操作部を押圧することで蓋体３を開き、さらに蓋体３の開状態において内蓋体４の係合部３２の内カップ８に対する係合を解除することで、内蓋体４を開くことができる。
【００２６】
そして、コンパクト容器１では、衝撃緩衝部材であるケース１０により中皿７を密着状態で囲繞するとともに、このケース１０を球状脚部１１を介して外枠５の第１区画凹部５ｃに配置したので、落下やぶつけること等によりコンパクト容器１に衝撃が加えられても、球状脚部１１などにより衝撃力が分散され、中皿７の脱落や化粧料の割れにつながる衝撃力の伝達を抑制することができる。
【００２７】
また、内蓋体４および蓋体３が閉状態である場合において、コンパクト容器１に上述したような強い衝撃が加わっても、中皿７が内蓋体４によって塞がれているので、その衝撃によって中皿７に充填されている化粧料が中皿７から飛び出し、容器本体２内で飛散するのを防止することができる。
しかも、内蓋体４は、蓋体３の内側に設けられるため、蓋体３が閉状態のときには上述した衝撃によって容易に開くことがないという利点がある。
【００２８】
さらに、内蓋体４が容器本体２側（すなわち、内枠６の枠体９）に支持されていて中皿７とは別体となるので、中皿７自体に蓋を設ける必要がなく、中皿７をレフィル式とする際に、このレフィル容器（中皿）の構造を複雑にすることがなく簡素化を図ることができる。
そして、内蓋体４の第２ヒンジ部４１を枠体９に設けることで、その第２ヒンジ部４１を蓋体３の内面側に配置することが容易となり、コンパクト容器１の構造をより簡素化させることができる。
【００２９】
なお、本発明の技術範囲は、上記実施形態に限定されるものではなく、本発明の趣旨を逸脱しない範囲において、種々の変更を加えることが可能である。
【００３０】
例えば、本実施形態では第２ヒンジ部４１を枠体９に設けた構成としているが、第２ヒンジ部４１の位置は限定されることはなく、例えば外枠５の周壁５ａの一部に第２ヒンジ部４１を設けるようにしても良い。
また、本実施形態では第２ヒンジ部４１の構造として、ヒンジ軸４２を係合する軸受孔４１ａを有する円筒状の構成を例に挙げて説明したが、これに限定されることはなく、例えば枠体９と内蓋体４とが薄肉部を介して一体的に連結されるヒンジ構造であってもかまわない。
さらに、第１ヒンジ部３１の軸線と第２ヒンジ部４１の軸線とを直交するように配置しているが、これらの軸線が平行となるように各ヒンジ部を配置してもよいし、その他の位置関係とすることもできる。
【００３１】
さらに、容器本体２、蓋体３、内蓋体４の形状などの構成は、化粧料の種類、量などの条件に基づいて適宜変更することが可能である。
その他、本発明の趣旨を逸脱しない範囲で、上記した実施の形態における構成要素を周知の構成要素に置き換えることは適宜可能である。
【符号の説明】
【００３２】
１  コンパクト容器
２  容器本体
３  蓋体
４  内蓋体
５  外枠
５ｂ  底壁
５ｃ  第１区画凹部
５ｄ  第２区画凹部
５ｅ  曲面凹部
６  内枠
７  中皿
８  内カップ
９  枠体
１０  ケース
１０ｂ  底壁
１１  球状脚部
４１  第２ヒンジ部
【図１】
0005639833.tif 000002
【図２】
0005639833.tif 000003
【図３】
0005639833.tif 000004
【図４】
0005639833.tif 000005
【図５】
0005639833.tif 000006